(57)【要約】【課題】複数の基地局から個別に間欠受信するときの端末の低消費電力化を図る。【解決手段】第１の基地局装置から一定周期の第１の間欠受信期間に間欠受信し、且つ、第２の基地局装置から一定周期の第２の間欠受信期間で間欠受信する端末ＵＥにおいて、前記第１の間欠受信期間に前記第２の間欠受信期間を同期させる間欠受信周期同期調整時間を算出する間欠受信周期同期調整時間算出部（ＤＲＸサイクル同期調整時間算出部ＵＥ３３）と、前記算出された間欠受信周期同期調整時間を前記第２の基地局装置へ通知して、前記第２の間欠受信期間を移動させるように要求する制御部ＵＥ３と、を備える。【選択図】図２
2015162746.tif 000002
【特許請求の範囲】
【請求項１】
第１の基地局装置と、第２の基地局装置と、前記第１の基地局装置から一定周期の第１の間欠受信期間で間欠受信し、且つ、前記第２の基地局装置から一定周期の第２の間欠受信期間で間欠受信する移動局装置と、を備える通信システムであって、
前記移動局装置は、
前記第１の間欠受信期間に前記第２の間欠受信期間を同期させる間欠受信周期同期調整時間を算出する間欠受信周期同期調整時間算出部と、
前記算出された間欠受信周期同期調整時間を前記第２の基地局装置へ通知して、前記第２の間欠受信期間を移動させるように要求する制御部と、を備え、
前記第２の基地局装置は、前記移動局装置から通知された間欠受信周期同期調整時間に基づいて、前記第２の間欠受信期間を移動させることを特徴とする通信システム。
【請求項２】
第１の基地局装置から一定周期の第１の間欠受信期間に間欠受信し、且つ、第２の基地局装置から一定周期の第２の間欠受信期間で間欠受信する移動局装置であって、
前記第１の間欠受信期間に前記第２の間欠受信期間を同期させる間欠受信周期同期調整時間を算出する間欠受信周期同期調整時間算出部と、
前記算出された間欠受信周期同期調整時間を前記第２の基地局装置へ通知して、前記第２の間欠受信期間を移動させるように要求する制御部と、
を備えたことを特徴とする移動局装置。
【請求項３】
第１の基地局装置と、第２の基地局装置と、前記第１の基地局装置から一定周期の第１の間欠受信期間で間欠受信し、且つ、前記第２の基地局装置から一定周期の第２の間欠受信期間で間欠受信する移動局装置と、を備える通信システムの前記第２の基地局装置であって、
前記移動局装置から前記第１の間欠受信期間に前記第２の間欠受信期間を同期させる間欠受信周期同期調整時間の通知を受信し、該通知された間欠受信周期同期調整時間に基づいて前記第２の間欠受信期間を移動させることを特徴とする基地局装置。
【請求項４】
第１の基地局装置から一定周期の第１の間欠受信期間に間欠受信し、且つ、第２の基地局装置から一定周期の第２の間欠受信期間で間欠受信する移動局装置の間欠受信周期同期調整方法であって、
前記移動局装置が、前記第１の間欠受信期間に前記第２の間欠受信期間を同期させる間欠受信周期同期調整時間を算出する間欠受信周期同期調整時間算出ステップと、
前記移動局装置が、前記算出された間欠受信周期同期調整時間を前記第２の基地局装置へ通知して、前記第２の間欠受信期間を移動させるように要求する制御ステップと、
を含むことを特徴とする間欠受信周期同期調整方法。
【請求項５】
第１の基地局装置から一定周期の第１の間欠受信期間に間欠受信し、且つ、第２の基地局装置から一定周期の第２の間欠受信期間で間欠受信する移動局装置のコンピュータに、
前記第１の間欠受信期間に前記第２の間欠受信期間を同期させる間欠受信周期同期調整時間を算出する間欠受信周期同期調整時間算出ステップと、
前記算出された間欠受信周期同期調整時間を前記第２の基地局装置へ通知して、前記第２の間欠受信期間を移動させるように要求する制御ステップと、
を実行させるためのコンピュータプログラム。
【発明の詳細な説明】
【技術分野】
【０００１】
本発明は、通信システム、移動局装置、基地局装置、間欠受信周期同期調整方法およびコンピュータプログラムに関する。
【背景技術】
【０００２】
現在LTE-A（Long Term Evolution-Advanced）では、3GPP Release10/11において、高速・大容量通信を実現する技術であるキャリア・アグリゲーション（Carrier Aggregation：CA）が仕様化されている。CAは、周波数的に連続あるいは不連続の複数のキャリア（コンポーネント・キャリア（Component Carrier：CC））を利用して、同時に信号を送受信する技術である。このCAの仕様では、端末（移動局）は、１つeNB（基地局）に対して、CAを行う（intra site CA）。なお、上りリンクとは端末から基地局への通信のことを指し、下りリンクとは基地局から端末への通信のことを指す。
【０００３】
一方、3GPP Release12以降において、端末が、マクロセル基地局とスモールセル基地局の両方に通信接続するデュアル（dual）接続が検討されている。このdual接続において、端末は多数の基地局からの無線リソースを使用しており、適切なDRX（Discontinuous Reception、間欠受信）コンフィグレーション（configuration）は基地局毎に異なる。そのため、複数の基地局に対して共通のDRX configurationを使用すると、
・DRXサイクル（間欠受信周期）「32ms」では端末の送信電力が浪費される、
・DRXサイクル「128ms」では物理下りリンク制御チャネル（Physical Downlink. Control CHannel：PDCCH）を見落とす、
可能性がある。一方、DRXサイクル「32ms」及び「128ms」の両方のDRX configurationをサポートすると、端末の消費電力が大きくなる。
【０００４】
そこで、3GPP RAN2 では、非特許文献１，２等に記載されるように、DRX configurationを、dual接続におけるマスター基地局（MeNB）とセカンダリー基地局（SeNB）とで個別に設定することが検討されている。例えば、非特許文献１では、端末の受信系統をMeNBまたはSeNBのうち、いずれかactiveになる方のみを起動するようにしている。
【先行技術文献】
【非特許文献】
【０００５】
【非特許文献１】3GPP TSG-RAN WG2 #83bis  R2-133433、“DRX for dual connectivity”、［online］、３ＧＰＰ、［２０１４年２月１２日検索］、インターネット＜ＵＲＬ：http://www.3gpp.org/ftp/tsg_ran/wg2_rl2/TSGR2_83bis/Docs/R2-133433.zip＞
【非特許文献２】3GPP TSG RAN WG2 #83bis  R2-133105“Discussion on DRX for Inter Node Radio Resource Aggregation”、［online］、３ＧＰＰ、［２０１４年２月１２日検索］、インターネット＜ＵＲＬ：http://www.3gpp.org/ftp/tsg_ran/wg2_rl2/TSGR2_83bis/Docs/R2-133105.zip＞
【発明の概要】
【発明が解決しようとする課題】
【０００６】
しかしながら、dual接続におけるMeNBとSeNBとでそれぞれ個別にDRX configurationを設定しても、端末がMeNBとSeNBとで別々のタイミングで間欠受信すると、端末の消費電力が大きくなる。
【０００７】
本発明は、このような事情を考慮してなされたもので、複数の基地局から個別に間欠受信するときの端末の低消費電力化を図ることを課題とする。
【課題を解決するための手段】
【０００８】
本発明の一態様は、第１の基地局装置と、第２の基地局装置と、前記第１の基地局装置から一定周期の第１の間欠受信期間で間欠受信し、且つ、前記第２の基地局装置から一定周期の第２の間欠受信期間で間欠受信する移動局装置と、を備える通信システムにおいて、前記移動局装置は、前記第１の間欠受信期間に前記第２の間欠受信期間を同期させる間欠受信周期同期調整時間を算出する間欠受信周期同期調整時間算出部と、前記算出された間欠受信周期同期調整時間を前記第２の基地局装置へ通知して、前記第２の間欠受信期間を移動させるように要求する制御部と、を備え、前記第２の基地局装置は、前記移動局装置から通知された間欠受信周期同期調整時間に基づいて、前記第２の間欠受信期間を移動させることを特徴とする通信システムである。
【発明の効果】
【０００９】
本発明によれば、複数の基地局から個別に間欠受信するときの端末の低消費電力化を図ることができる。
【図面の簡単な説明】
【００１０】
【図１】本発明の一実施形態に係る通信システムを示す概念図である。
【図２】本発明の一実施形態に係る端末ＵＥの構成例を示すブロック図である。
【図３】本発明の一実施形態に係る通信システムにおけるＤＲＸサイクル同期調整方法の手順を示すシーケンスチャートである。
【図４】本発明の一実施形態に係る通信システムにおけるＤＲＸサイクル同期調整方法を説明するためのタイミングチャートの例である。
【発明を実施するための形態】
【００１１】
以下、図面を参照し、本発明の一実施形態について説明する。
図１は、本発明の一実施形態に係る通信システムを示す概念図である。図１に示される通信システムは、ＬＴＥ通信システムの構成例である。図１において、通信システムは、マクロセル基地局ａ、スモールセル基地局ｂ１，ｂ２，ｂ３，ｂ４，ｂ５及び端末ＵＥを備える。端末ＵＥは、例えば、携帯電話装置やタブレット端末装置等の移動局装置である。マクロセル基地局ａはマクロセルＣａを提供する。スモールセル基地局ｂ１，ｂ２，ｂ３，ｂ４，ｂ５は、それぞれスモールセルＣｂ１，Ｃｂ２，Ｃｂ３，Ｃｂ４，Ｃｂ５を提供する。スモールセルはマクロセルより小さく、スモールセルの範囲の一部又は全部はマクロセルの範囲と重複しても良い。
【００１２】
端末ＵＥは、マクロセル基地局ａ及びスモールセル基地局ｂ１とキャリア・アグリゲーションを行う（Inter site CA）。例えば、端末ＵＥは、複数のコンポーネント・キャリアＰＣｅｌｌ，ＳＣｅｌｌ０，ＳＣｅｌｌ１，ＳＣｅｌｌ２を使用する。マクロセル基地局ａとは、第１の周波数の帯域１０ＭＨｚのコンポーネント・キャリアＰＣｅｌｌと第２の周波数の帯域１０ＭＨｚのコンポーネント・キャリアＳＣｅｌｌ０を使用して通信する。スモールセル基地局ｂ１とは、第３の周波数の帯域２０ＭＨｚのコンポーネント・キャリアＳＣｅｌｌ１と第４の周波数の帯域２０ＭＨｚのコンポーネント・キャリアＳＣｅｌｌ２を使用して通信する。上りリンクにはコンポーネント・キャリアＰＣｅｌｌ，ＳＣｅｌｌ１を使用し、下りリンクにはコンポーネント・キャリアＰＣｅｌｌ，ＳＣｅｌｌ０，ＳＣｅｌｌ１，ＳＣｅｌｌ２を使用する。
【００１３】
端末ＵＥと基地局間の信号伝送チャネルとして、例えば、上り制御信号には物理上りリンク制御チャネル（Physical Uplink Control CHannel：PUCCH）、上りデータ信号には物理上りリンク共有チャネル（Physical Uplink Shared Channel：PUSCH）、下り制御信号には物理下りリンク制御チャネル（Physical Downlink. Control CHannel：PDCCH）、下りデータ信号には物理下りリンク共有チャネル（Physical Downlink. Shared CHannel：PDSCH）が使用される。
【００１４】
基地局間の通信は、バックホール（通信事業者ネットワーク）を用いて行われる。例えばＸインターフェースで基地局間が接続されており、マクロセル基地局ａとスモールセル基地局ｂ１の間で直接通信を行うことができる。マクロセル基地局ａとスモールセル基地局ｂ１は、それぞれ独立に、無線リソース割り当てのスケジューリングを行う。
【００１５】
図２は、本実施形態に係る端末ＵＥの構成例を示すブロック図である。図２において、端末ＵＥは、複数のＬＴＥ送信部ＵＥ１ａ，ＵＥ１ｂ，・・・と、複数のＬＴＥ受信部ＵＥ２ａ，ＵＥ２ｂ，・・・と、制御部ＵＥ３を備える。制御部ＵＥ３は、送信信号処理部ＵＥ３１と受信信号処理部ＵＥ３２とＤＲＸサイクル同期調整時間算出部ＵＥ３３を有する。ＬＴＥ送信部ＵＥ１ａ，ＵＥ１ｂ，・・・は、それぞれコンポーネント・キャリアを用いて無線送信を行う。ＬＴＥ受信部ＵＥ２ａ，ＵＥ２ｂ，・・・は、それぞれコンポーネント・キャリアを用いて無線受信を行う。
【００１６】
制御部ＵＥ３は端末ＵＥの各部を制御する。送信信号処理部ＵＥ３１は、ＬＴＥ送信部ＵＥ１ａ，ＵＥ１ｂ，・・・からそれぞれ送信される送信信号に関する送信処理を行う。受信信号処理部ＵＥ３２は、ＬＴＥ受信部ＵＥ２ａ，ＵＥ２ｂ，・・・からそれぞれ受信される受信信号に関する受信処理を行う。ＤＲＸサイクル同期調整時間算出部ＵＥ３３は、複数の基地局からのそれぞれのＤＲＸ期間（間欠受信期間：on duration）を同期させるＤＲＸサイクル同期調整時間（間欠受信周期同期調整時間）を算出する。
【００１７】
次に図３及び図４を参照して、本実施形態に係る通信システムの動作を説明する。図３は、本実施形態に係る通信システムにおけるＤＲＸサイクル同期調整方法の手順を示すシーケンスチャートである。図４は、本実施形態に係る通信システムにおけるＤＲＸサイクル同期調整方法を説明するためのタイミングチャートの例である。ここでは、端末ＵＥは、マクロセル基地局ａとスモールセル基地局ｂ１にdual接続して下りデータ通信を行うとする。また、マクロセル基地局ａがプライマリセル（Primary Cell：PCell）の基地局であり、スモールセル基地局ｂ１がセカンダリセル（Secondary Cell：SCell）の基地局であるとする。
【００１８】
（ステップＳ１０１）  端末ＵＥは、マクロセル基地局ａからページングメッセージを受信する。
（ステップＳ１０２）  端末ＵＥとマクロセル基地局ａ間で接続処理が行われて端末ＵＥとマクロセル基地局ａとの接続が確立する。
（ステップＳ１０３）  端末ＵＥは、マクロセル基地局ａから、dual接続する旨のメッセージを受信する。
（ステップＳ１０４）  端末ＵＥは、マクロセル基地局ａとの上りリンク及び下りリンク、並びに、スモールセル基地局ｂ１との上りリンク及び下りリンクでdual接続し、下りデータ通信を開始する。端末ＵＥは、dual接続の開始時には、マクロセル基地局ａ及びスモールセル基地局ｂ１の両方に対して、activateされた状態で下りデータ通信を開始する。
【００１９】
（ステップＳ１０５）  端末ＵＥは、下りデータ通信のデータがなくなると、それから一定時間後にDRX Configurationに従い、ＤＲＸ状態へ遷移する。このＤＲＸ状態のタイミングチャートの例が図４に示される同期前のタイミングチャートである。図４の同期前のタイミングチャートでは、マクロセル基地局ａの一定周期のＤＲＸ期間と、スモールセル基地局ｂ１の一定周期のＤＲＸ期間とは、ずれている（同期していない）。このため、端末ＵＥのアクティブタイム（active time）は、マクロセル基地局ａのＤＲＸ期間と、該マクロセル基地局ａのＤＲＸ期間とは別個のスモールセル基地局ｂ１のＤＲＸ期間との和となっている。
【００２０】
（ステップＳ１０６）  端末ＵＥのＤＲＸサイクル同期調整時間算出部ＵＥ３３は、マクロセル基地局ａのＤＲＸ期間に、スモールセル基地局ｂ１のＤＲＸ期間を同期させるＤＲＸサイクル同期調整時間を算出する。図４の例では、マクロセル基地局ａのＤＲＸ期間とスモールセル基地局ｂ１のＤＲＸ期間との時間差は一サブフレーム時間である。ＤＲＸサイクル同期調整時間算出部ＵＥ３３は、その時間差「一サブフレーム時間」をＤＲＸサイクル同期調整時間として算出する。
【００２１】
（ステップＳ１０７）  端末ＵＥの制御部ＵＥ３は、ＤＲＸサイクル同期調整時間算出部ＵＥ３３により算出されたＤＲＸサイクル同期調整時間をスモールセル基地局ｂ１へ通知して、スモールセル基地局ｂ１のＤＲＸ期間を移動させるように要求する。
【００２２】
（ステップＳ１０８）  スモールセル基地局ｂ１は、端末ＵＥから通知されたＤＲＸサイクル同期調整時間に基づいて、スモールセル基地局ｂ１のＤＲＸ期間を移動させる。ＤＲＸ期間の移動方向（進ませる又は遅らせる）については、予め定義しておく、又は、端末ＵＥからスモールセル基地局ｂ１へＤＲＸサイクル同期調整時間と共に通知する。
【００２３】
（ステップＳ１０９）  スモールセル基地局ｂ１は、スモールセル基地局ｂ１のＤＲＸ期間を移動したことを端末ＵＥへ応答する。
（ステップＳ１１０）  端末ＵＥの制御部ＵＥ３は、スモールセル基地局ｂ１からスモールセル基地局ｂ１のＤＲＸ期間を移動したことの応答を受信すると、受信信号処理部ＵＥ３２に対して、スモールセル基地局ｂ１のＤＲＸ期間を移動させる。
【００２４】
そのＤＲＸ期間の移動後のタイミングチャートの例が図４に示される同期後のタイミングチャートである。図４の同期後のタイミングチャートでは、スモールセル基地局ｂ１のＤＲＸ期間がマクロセル基地局ａのＤＲＸ期間に合っている（同期している）。このため、端末ＵＥのアクティブタイムは、マクロセル基地局ａのＤＲＸ期間（スモールセル基地局ｂ１のＤＲＸ期間を含んでいる）のみとなっている。つまり、同期後は同期前に比べて、端末ＵＥのアクティブタイムがスモールセル基地局ｂ１のＤＲＸ期間分だけ短くなっており、端末ＵＥに対して、その分の低消費電力化を図ることができる。
【００２５】
なお、ＤＲＸ期間の移動の仕方として、例えば、ＤＲＸサイクル開始オフセット（DRX cycle start offset）を変更することが挙げられる。この場合、上記ステップＳ１０７において、端末ＵＥは、DRX cycle start offset変更要求を、スモールセル基地局ｂ１へ送信する。次いで、ステップＳ１０８において、スモールセル基地局ｂ１は、端末ＵＥから通知されたＤＲＸサイクル同期調整時間に基づいてDRX cycle start offsetを変更する。次いで、ステップＳ１０９において、スモールセル基地局ｂ１は、該変更後のDRX cycle start offsetを端末ＵＥへ応答する。次いで、ステップＳ１１０において、端末ＵＥの制御部ＵＥ３は、受信信号処理部ＵＥ３２に対して、スモールセル基地局ｂ１から受信されたDRX cycle start offsetを設定し、スモールセル基地局ｂ１のＤＲＸサイクルに関するDRX cycle start offsetを変更させる。
【００２６】
以上、本発明の実施形態について図面を参照して詳述してきたが、具体的な構成はこの実施形態に限られるものではなく、本発明の要旨を逸脱しない範囲の設計変更等も含まれる。
【００２７】
例えば、上述したステップＳ１０６からＳ１１０までは、端末ＵＥの通信中に行ってもよい。また、上述した実施形態では、マクロセル基地局ａ（PCell）のＤＲＸ期間にスモールセル基地局ｂ１（SCell）のＤＲＸ期間を同期させるようにしたが、その逆、つまり、スモールセル基地局ｂ１（SCell）のＤＲＸ期間にマクロセル基地局ａ（PCell）のＤＲＸ期間を同期させるようにしてもよい。
【００２８】
また、上述した端末ＵＥ（移動局装置）の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００２９】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３０】
また、本発明の一態様は、第１の基地局装置から一定周期の第１の間欠受信期間に間欠受信し、且つ、第２の基地局装置から一定周期の第２の間欠受信期間で間欠受信する移動局装置において、前記第１の間欠受信期間に前記第２の間欠受信期間を同期させる間欠受信周期同期調整時間を算出する間欠受信周期同期調整時間算出部と、前記算出された間欠受信周期同期調整時間を前記第２の基地局装置へ通知して、前記第２の間欠受信期間を移動させるように要求する制御部と、を備えたことを特徴とする移動局装置である。
【００３１】
また、本発明の一態様は、第１の基地局装置と、第２の基地局装置と、前記第１の基地局装置から一定周期の第１の間欠受信期間で間欠受信し、且つ、前記第２の基地局装置から一定周期の第２の間欠受信期間で間欠受信する移動局装置と、を備える通信システムの前記第２の基地局装置であって、前記移動局装置から前記第１の間欠受信期間に前記第２の間欠受信期間を同期させる間欠受信周期同期調整時間の通知を受信し、該通知された間欠受信周期同期調整時間に基づいて前記第２の間欠受信期間を移動させることを特徴とする基地局装置である。
【００３２】
また、本発明の一態様は、第１の基地局装置から一定周期の第１の間欠受信期間に間欠受信し、且つ、第２の基地局装置から一定周期の第２の間欠受信期間で間欠受信する移動局装置の間欠受信周期同期調整方法であって、前記移動局装置が、前記第１の間欠受信期間に前記第２の間欠受信期間を同期させる間欠受信周期同期調整時間を算出する間欠受信周期同期調整時間算出ステップと、前記移動局装置が、前記算出された間欠受信周期同期調整時間を前記第２の基地局装置へ通知して、前記第２の間欠受信期間を移動させるように要求する制御ステップと、を含むことを特徴とする間欠受信周期同期調整方法である。
【００３３】
また、本発明の一態様は、第１の基地局装置から一定周期の第１の間欠受信期間に間欠受信し、且つ、第２の基地局装置から一定周期の第２の間欠受信期間で間欠受信する移動局装置のコンピュータに、前記第１の間欠受信期間に前記第２の間欠受信期間を同期させる間欠受信周期同期調整時間を算出する間欠受信周期同期調整時間算出ステップと、前記算出された間欠受信周期同期調整時間を前記第２の基地局装置へ通知して、前記第２の間欠受信期間を移動させるように要求する制御ステップと、を実行させるためのコンピュータプログラムである。
【符号の説明】
【００３４】
ａ…マクロセル基地局、ｂ１，ｂ２，ｂ３，ｂ４，ｂ５…スモールセル基地局、ＵＥ…端末、ＵＥ１ａ，ＵＥ１ｂ…ＬＴＥ送信部、ＵＥ２ａ，ＵＥ２ｂ…ＬＴＥ受信部、ＵＥ３…制御部、ＵＥ３１…送信信号処理部、ＵＥ３２…受信信号処理部、ＵＥ３３…ＤＲＸサイクル同期調整時間算出部
【図１】
2015162746.tif 000003
【図２】
2015162746.tif 000004
【図３】
2015162746.tif 000005
【図４】
2015162746.tif 000006